(57)【要約】【課題】  世界的に環境問題が問われている昨今、全方位からの気流に対応出来るもので、風向きが変わる毎に回転翼の向きを変える事なく、且つ、微風でも回転翼を駆動できるもので、この無限である自然エネルギーを風力発電にて電気エネルギーに変換する事を目的とするものである。【解決手段】  本発明の風力発電装置１は、水平方向の全方位からの気流に対して、気流増速部（８Ｕ、８０Ｕ、８１Ｕ、８２Ｕ）により気流を増速して、回転翼部（４，５，６，７）の羽根部（４ａ〜ｆ、５ａ〜ｆ、６ａ〜ｆ、７ａ〜ｆ）に誘導するものであり、又、該羽根部の気流受け口は空洞を有し、加圧された気流を一時留め置いて駆動力に変えているもので、更に、該羽根部の背面側は鋭角又は流線形し、且つ、羽根部が回転して戻って来る場合でも、その羽根部の背面側には気流増速部は気流が誘導されない構造となっているので、非常に効率的に電気エネルギーを得る事を目的とするものである。【選択図】図１
2011007169.tif 000002
【特許請求の範囲】
【請求項１】
気流を誘導する為、二枚の水平誘導板、又は、気流を受ける側の幅を広角且つその幅員を大きくして、回転翼部方向に徐々にその幅員を小さくした板間隔をもつ二枚の水平誘導板、間に配設された回転翼部において、該回転翼部の回転軸の法線方向からの、単方位、双方位を含む全方位（３６０度）まで、の気流に対応出来る事を特徴とする風力発電装置。
【請求項２】
気流を誘導する為、二枚の水平誘導板、又は、気流を受ける側の幅を広角且つその幅員を大きくして、回転翼部方向に徐々にその幅員を小さくした板間隔をもつ二枚の水平誘導板、間に配設された回転翼部において、該回転翼部が位置する部分の該水平誘導板二枚を切り抜いたもので、該回転翼部の回転軸の法線方向からの、単方位、双方位を含む全方位（３６０度）まで、の気流に対応出来る事を特徴とする風力発電装置。
【請求項３】
気流を誘導する為、複数枚の垂直誘導板を用いたもので、その誘導板の間隔は、気流を受ける側を、回転軸に対する法線方向に対して広角且つ、その幅員を大きくし、回転翼部方向に徐々にその幅員を小さくして、羽根部に誘導するもので、該回転翼部の主軸の法線方向からの、単方位、双方位を含む全方位（３６０度）まで、の気流に対応出来る事を特徴とする請求項１〜２に記載の風力発電装置。
【請求項４】
気流進入側は開口面積を大きくし、上記羽根部方向に徐々に開口面積を小さくした気流増速器を設けて、該回転翼部の主軸の法線方向からの、単方位、双方位を含む全方位（３６０度）まで、の気流に対応している事を特徴とする風力発電装置。
【請求項５】
気流を誘導する為、二枚の水平誘導板、又は、気流を受ける側の幅を広角且つその幅員を大きくし、該回転翼部方向に徐々にその幅員を小さくした板間隔をもつ二枚の水平誘導板、間に配設された回転翼部において、該回転翼部が位置する部分の水平誘導板二枚を切り抜いた範囲を、該回転翼部の軸受版にてカバーを行ない固定する事を特徴とする請求項２〜４に記載の風力発電装置。
【請求項６】
上記回転翼部の軸受板に、制御出来る排気口を設ける事が出来る事を特徴とする請求項２〜５に記載の風力発電装置。
【請求項７】
上記の垂直誘導板及び気流増速器の気流誘導先は上記羽根部気流受け口に向けられている事を特徴とする請求項３〜６に記載の風力発電装置。
【請求項８】
上記回転翼部の羽根部の背面側が回転して戻ってくる場合でも、該垂直誘導板及び気流増幅器の通気路は、該背面側に誘導されない構造となっている事を特徴とする請求項３〜７に記載の風力発電装置。
【請求項９】
上記羽根部の気流受け口は空洞を有するものであって、該羽根部の背面は鋭角又は流線形になっている事を特徴とする請求項１〜８に記載の風力発電装置。
【請求項１０】
上記回転翼部は単独又は複数段取り付けられることを特徴とする請求項１〜９に記載の風力発電装置。
【請求項１１】
上記羽根部は少なくとも３個以上有するものである事を特徴とする請求項１〜１０に記載の風力発電装置。
【請求項１２】
上記の気流進入側の開口部と排気側開口部は分離しているものではなく、併用している事を特徴とする請求項１〜１１に記載の風力発電装置
【発明の詳細な説明】
【技術分野】
【０００１】  本発明は、全方位からの気流に対応した風力発電装置の原理、構造に関する。
【背景技術】
【０００２】  従来の風力発電機は気流の強さを利用して、その気流の向きに回転翼を対向させて、その主軸を回転させ発電させて、機械エネルギーを電気エネルギーに変えるものが一般的である。
【特許文献２】特開平８−２１０２３７号公報
【特許文献４】特開２００４−３５３６４６号公報
【特許文献７】特開平９−２５６９４１号公報
【発明の開示】
【発明が解決しようとする課題】
【０００３】  本発明は、上記の欠点をなくす為に、風力発電装置を固定したまま、自然の大気中の気流に対して、単方位、双方位又は全方位に対応できるものであり、効率的に発電を行える装置を提供するものである。【０００４】  つまり、気流の方向に左右される事なく、微風にも気流増速器を利用して、風力を増し、発電する風力発電装置である。
【課題を解決するための手段】
【０００５】  上記目的を達成する為に、本発明に係る風力発電装置は、気流を生じている大気中に、気流水平誘導板、気流垂直誘導板又は、それらを組み合わせた気流増速器を配設し、その回転翼の回転軸に風力発電機を取り付けて発電させるものである。【０００６】  つまり、その回転翼部と、前記各回転軸の一端部に接続された風力発電機と、前記回転翼の羽根部に気流を誘導する気流誘導板又は気流増速器で構成されたものである。【０００７】  即ち、本発明は、大気中の回転翼部の羽根部に気流を誘導するようにし、その背面側は、対向気流による空気抵抗が少ない流線形又は鋭角状にしているものである。気流誘導、圧縮式の気流増速器を採用し、気流の流速を増大させ、この流速を高めた気流で、風力発電機につながる回転翼を駆動するのであり、回転軸の法線方向の単方位、双方位又は全方位からの気流に対応できるものである。【０００８】  上記目的を達成する為に、本発明は、無尽蔵にある自然エネルギーを利用して発電するもので、気流を増速し、回転翼部の羽根部に加えて、その高エネルギーを電気エネルギーに変えるものである。【０００９】  請求項１に記載の発明は、気流を誘導する為、二枚の水平誘導板、又は、気流を受ける側の幅を広角且つその幅員を大きくして、回転翼部方向に徐々にその幅員を小さくした板間隔をもつ二枚の水平誘導板、間に配設された回転翼部において、該回転翼部の回転軸の法線方向からの、単方位、双方位を含む全方位（３６０度）まで、の気流に対応出来る事を特徴とする風力発電装置。【００１０】  請求項２に記載の発明は、気流を誘導する為、二枚の水平誘導板、又は、気流を受ける側の幅を広角且つその幅員を大きくして、回転翼部方向に徐々にその幅員を小さくした板間隔をもつ二枚の水平誘導板、間に配設された回転翼部において、該回転翼部が位置する部分の該水平誘導板二枚を切り抜いたもので、該回転翼部の回転軸の法線方向からの、単方位、双方位を含む全方位（３６０度）まで、の気流に対応出来る事を特徴とする風力発電装置。【００１１】  請求項３に記載の発明は、気流を誘導する為、複数枚の垂直誘導板を用いたもので、その誘導板の間隔は、気流を受ける側を、回転軸に対する法線方向に対して広角且つ、その幅員を大きくし、回転翼部方向に徐々にその幅員を小さくして、羽根部に誘導するもので、該回転翼部の主軸の法線方向からの、単方位、双方位を含む全方位（３６０度）まで、の気流に対応出来る事を特徴とする請求項１〜２に記載の風力発電装置。【００１２】  請求項４に記載の発明において、気流進入側は開口面積を大きくし、上記羽根部方向に徐々に開口面積を小さくした気流増速器を設けて、該回転翼部の主軸の法線方向からの、単方位、双方位を含む全方位（３６０度）まで、の気流に対応している事を特徴とする風力発電装置である。又、その気流増速器の形状は円形状のものでも良い、形状を特定するものではない。【００１３】  請求項５に記載の発明は、気流を誘導する為、二枚の水平誘導板、又は、気流を受ける側の幅を広角且つその幅員を大きくし、該回転翼部方向に徐々にその幅員を小さくした板間隔をもつ二枚の水平誘導板、間に配設された回転翼部において、該回転翼部が位置する部分の水平誘導板二枚を切り抜いた範囲を、該回転翼部の軸受板にてカバーを行ない固定する事を特徴とする請求項２〜４に記載の風力発電装置。【００１４】  請求項６に記載の発明は、上記回転翼部の軸受板に、排気口を設け、その開閉度を制御できる事を特徴とする請求項２〜５に記載の風力発電装置であり、該回転翼部側から排気口より排出された排気は図示されていないが、更に外部に排出できるものとする。又、上記排気機能は上記回転軸受板に設ける代わりに前記気流増速器の水平誘導板側に設ける事もできる。【００１５】  請求項７に記載の発明において、上記の垂直誘導板及び気流増速器の気流誘導先は上記羽根部気流受け口に向けられている事を特徴とする請求項３〜６に記載の風力発電装置。【００１６】  請求項８に記載の発明は、上記回転翼部の羽根部気流受け口の背面側が回転して戻ってくる場合でも、該垂直誘導板及び気流増幅器の通気路は、該背面側に誘導されない構造となっている事を特徴とする請求項３〜７に記載の風力発電装置。【００１７】  請求項９に記載の発明において、上記羽根部の気流受け口は空洞を有するものであって、該羽根部の背面は鋭角又は流線形になっている事を特徴とする請求項１〜８に記載の風力発電装置。【００１８】  請求項１０に記載の発明において、上記回転翼部は、単独又は複数段取り付けられることを特徴とする請求項１〜９に記載の風力発電装置。【００１９】  請求項１１に記載の発明において、上記羽根部は少なくとも３個以上有するものである事を特徴とする請求項１〜１０に記載の風力発電装置である。上記気流増速器及び回転翼部を複数段にした場合、該気流増速部と気流増速部間は密着して取り付けず、適度の間隔を持たせる事が出来るものとする。又、該回転翼部間の回転軸には図示されていないが接続部を設けているものとする。【００２０】  請求項１２に記載の発明において、上記の気流進入側開口部と排気側開口部は分離しているものではなく、併用している事を特徴とする請求項１〜１１に記載の風力発電装置【００２１】  上記請求項１〜１２に記載されている水平板、水平誘導板及び垂直誘導板というのは上記回転翼部の回転軸が垂直方向に配置されている場合のことであり、詳しくは、水平板、水平誘導板は該回転軸の法線方向の面を意味するものであり、又、垂直誘導板は、該回転軸と同方向即ち、該回転軸の法線方向と９０度の角度を成す方向を意味するものである。
【発明の効果】
【００２２】  上記の発明は、回転翼部の回転軸を垂直に設置した場合、全方位からの微風にも対応できる風力発電装置である。【００２３】  つまり、全方位からの気流を気流増速器により、増速させた気流を取り込み、回転翼羽根部の気流取り込み口を加圧して、発電機に繋がる回転翼を効率的に駆動させることができる非常に効率的な発電を行う事ができる風力発電装置である。
【発明を実施するための形態】
【００２４】  以下に本発明の実施形態の一例を図面に基づいて説明する。
【００２５】  図１に示すように、本実施形態の風力発電装置１は全方位からの気流を利用して発電を行う風力発電装置であって、回転翼部（４、５、６又は７）、回転軸３及び複数の気流増速機８を組み合わせた気流増速部８Ｕと発電機２とから主に構成される。
【００２６】（ａ）は気流増速部及び回転翼部４の設置を１段のものであり、（ｂ）は気流増速部及び回転翼部４を３段にしたものであるが、用途に応じて、回転翼部５，６又は７を採用出来るものとし、又、それ以外の回転翼を設置しても良い。上記気流増速器及び該回転翼部の設置を幾段にするかは、必要な供給電力に応じて決めれば良い。
【００２７】  このように回転翼部４が取り付けられた上記回転軸３の一端部には、発電機２が接続されている。気流増速機８は、気流が緩やかな場所でも、加圧して、回転翼（４ａ〜ｆ）の羽根部に送風出来る為に非常に役立つものである。
【００２８】  図２において、各回転翼（４ａ〜ｆ）は、回転軸３に固定されていると共に回転翼部（４、５，６，７）は少なくとも３個以上の回転翼を有するものとする。
【００２９】  又、図２の（ａ）、（ｂ）、（ｃ）、（ｄ）は、前記の風力発電装置１に採用できる４種類の回転翼部（４，５，６，７）を示すものである。これら全ての羽根部（４ａ〜ｆ、５ａ〜ｆ、６ａ〜ｆ、７ａ〜ｆ）は気流を取り込む為の空洞を有し、その羽根部の点線は、その奥行きを示している。又、回転翼部（４、５、６、７）において、その羽根部（４ａ〜ｆ、５ａ〜ｆ、６ａ〜ｆ、７ａ〜ｆ）の気流取り込み口（斜線で示している部分）の背面は、流線形又は鋭角にして、空気抵抗を少なくしている。
【００３０】  又、羽根部で受ける風圧が非常に高い場合は、その風圧を調整する為、気流取り込み口の背面に排気口を設けて、気圧又はプログラム制御により、自動的にその排気口を制御し、発電機２の回転軸２の回転数を制御して、強い風力に対応しても良い。
【００３１】  図３は、気流を回転翼方向に誘導する水平誘導板２０ａ、ｂを示す図である。図（ａ）は、該水平誘導板２０ａ、ｂの斜視図である。図（ｂ）は該水平誘導板２０ａ、ｂを横から視た図である。図に示すように、二枚の水平誘導板２０ａ、ｂを対とし、円形状のもので、その中心付近は水平状で、その側面方向に傾斜を持たせ広角にし、全方向（３６０度）方向に対応出来るようにしている。
【００３２】  図４は、垂直誘導板３０（ａ〜ｌ）を示す斜視図である。これは水平方向の気流の向きを誘導するもので、その全ての誘導板は気流を回転翼の羽根部に誘導されるように配置されているものであり、垂直誘導板３０（ａ〜ｌ）を１２枚用いて放射状に配置し、全方位（３６０度）からの気流に対応出来るものである。
【００３３】  図５は上記の水平誘導板２０ａ、ｂと垂直誘導板３０（ａ〜ｌ）を組み合わせた気流増速器８Ｕを横から視た図である。図からも解るように、気流受け口側は開口面積を大きくし、中心部へ向って徐々に開口面積を小さくし、気流を増速したもので、全方位、３６０度方位からの気流に対応できる。
【００３４】  図６は、上記の気流増速器８及び８Ｕの斜視図である。（ａ）は該気流増速器８の単独のものであり、（ｂ）は気流増速器８を放射状に１２個配設した全方位（３６０度）に対応できる。
【００３５】  又、図（ａ）、（ｂ）に示すように、該気流増速器８は、その開口面積を下流に向って徐々に減少させている構造であり、且つ、その誘導先が回転翼部（４）、（５）、（６）、（７）の羽根部の気流受け口である為、回転翼部の羽根部に高い気圧が加わるようにしている。つまり、気流増速器８内を圧力管状態とし、気流速度を増加させているものである。
【００３６】  図７は上記気流増速器８Ｕ（３６０度対応）と回転翼部４を組み合わせた回転翼部４部分の透視、斜視図である。
【００３７】  図８は該回転翼部４と気流の関係を示したものである。（ａ）は従来型の回転翼部４と気流との対応関係を示した図であり、（ｂ）は放射状に１２枚の垂直誘導板３０（３６０度対応）を配設し、該回転翼部４と気流の関係を上部から視た図である。
【００３８】  又、流速の速い気流を受ける場合、回転翼部の羽根部は空洞を有する回転翼（４ａ〜ｆ）を設けているので、圧力の高い気流を一時的に空洞（点線は奥行きを示す）にて留め置き、その気流の圧力により、回転力を増し、回転軸３を効率よく回転させるものである。又、（ｂ）図に示すように回転翼（４ｄ、４ｅ、４ｆ）側は、気流の圧力を直接受けない構造となっており、且つ、回転翼羽根部の背面側が鋭角又は流線形になっている事により、更に対向気圧による空気抵抗を低減している。
【００３９】  図９は気流と前記水平誘導板２０ａ，ｂ及び回転翼部４との関係を横方向から視た図である、（ａ）は、該水平誘導板２０ａ、ｂがない場合の回転翼４と気流方向を示したものであり、（ｂ）は気流と該水平誘導板２０ａ、ｂを設置した場合の回転翼部４と気流との関係を示したものである。
【００４０】  上記図８の（ｂ）に示す１２枚の垂直誘導板（３０ａ〜ｌ）と図９の（ｂ）の水平誘導板（２０ａ〜ｂ）の効果を持ち合わせたものが気流増速部である。
【００４１】  図１０は、上記回転翼部４を取り囲むように放射状に配設された１２枚の垂直誘導板３０（ａ〜ｌ）と気流との関係を上部から視た図である。これは、図に示す様に気流が進入する側、排気口側の区別はなく共用している。前記回転軸３の法線方向からの気流に対して、全方位（３６０度方向）に対応できる構造となっている。
【００４２】  以下に本発明の実施形態の二例を図面に基づいて説明する。
【００４３】  図１１は、気流双方向性対応の回転翼部４と垂直誘導板（４１ａ〜ｆ）及び誘導壁（４０ａ、ｂ）に対する気流との関係を上部から視た図である。図に示す様に気流が進入する側、排気口側の区別はなく併用しており、気流誘導壁（４０ａ、ｂ）によって、回転翼受気口の背面側が回転して戻って来る場合でも、該背面側に気流は誘導されない構造となっている。但し、この図は垂直方向の気流は想定しておりません。上記垂直誘導板４１（ａ〜ｆ）及び４０（ａ、ｂ）に替えて、前記気流増速器８を配設した場合は上述の通りとなる。
【００４４】  以下に本発明の実施形態の三例を図面に基づいて説明する。
【００４５】  図１２は、二枚を対とした円形状の中心部を切り抜いたドーナッツ板状の水平誘導板２００ａ，ｂの図である。（ａ）は、その斜視図である。（ｂ）該水平誘導板を横から視た図である。図に示すように、実施形態一例のように、気流進入側の二枚の誘導板の幅員を変えているものではない。
【００４６】  図１３は、垂直誘導板３００（ａ〜ｌ）を示す斜視図である。個々の該垂直誘導板３００（ａ〜ｌ）は、長方形のもので、該垂直誘導板を放射状に配置し、その中心部に回転翼部を配置するものである。
【００４７】  図１４は上記、図１３及び１４に示す水平誘導板及び垂直誘導板を組み合わせた気流増速器８０Ｕの斜視図である。図からも解るように、全方位３６０度の方向からの気流に対応できる構造となっている。
【００４８】  図１５は、上記、気流増速器の中心部を、円形状である回転翼部の軸受板５０にてカバーを行い固定している気流増速器８１Ｕの斜視図である。この気流増速器８１Ｕは放射状に気流増幅器８０を１２個配設したもので、全方位（３６０度）からの気流に対応できる。
【００４９】  図１６に示す気流増速器８２Ｕは、図１５のドーナッツ状の平面板を用いた気流増速器８１Ｕの、該回転翼部の軸受板に、制御出来る排気口を設けているものである。その排気口の開閉度を風力の強さにより自動制御するものである。
【００５０】  又、放射状に配置した気流増速器の中央部に設置した回転翼部４の羽根部４（ａ〜ｆ）に風圧を加えて、該回転翼部４を駆動し、その回転軸３を回転させ、該回転翼に加わる気圧を排気制御により出来る限り、回転を安定するようにしたものである。
【００５１】  図１７は上記の排気口開閉を制御する軸受け板６０の図面である。（ａ）は軸受板のカバーに制御用の排気口開閉板を取り付けていない状態の図である。（ｂ）は該軸受板のカバーに取り付ける該排気用開閉板６１の図である。（ｃ）は該排気口開閉板６１を全開した図である。（ｄ）は半開の図面である。（ｅ）は全閉の図である。（ｆ）は排気口の開閉にヒンジ６３を用いているものである。
【００５２】  これらは気圧によってその開閉度を自動制御するものである。その開閉は回転軸３の回転する力を利用しても良いし、別に開閉用モーターにより行なっても良い。当然の事ながら、手動で行なう事も出来るものとする。
【００５３】  又、上記の排気制御機能の設置は上記回転軸受板の代わりに、上記気流増速器の水平誘導板部分に設ける事もできるものとする。
【００５４】  図１８の（ａ）は上記気流増速器８０Ｕと回転翼４の関係を示す図であり、（ｂ）は気流増速部８２Ｕ及び該回転翼の軸受板６０に設けている制御可能の排気口と回転翼の関係を示すもので排気口全閉の図である。
【図面の簡単な説明】
【００５５】
【図１】本発明の第一の実施形態に係る風力発電装置で、気流増速部と回転翼部を単独又は三段に重ねたものを横から視た図
【図２】図１に示す風力発電装置に採用される回転翼部の斜視図
【図３】図１の風力発電装置が備える水平誘導板を示した図
【図４】図１の風力発電装置が備える垂直誘導板（１２枚）を放射状に配置した斜視図
【図５】第一の実施形態に係る風力発電装置の気流増速部を横方向から視た図
【図６】第一の実施形態に係る風力発電装置の気流増速器（部）の斜視図
【図７】図１の風力発電装置が備える回転翼部の周囲に放射状に１２個の気流増速器（気流増幅部）を配設した回転翼部分の透視、斜視図。
【図８】本発明の第一の実施形態に係る垂直誘導板を設けた場合と設けない場合との回転翼部の羽根部に対する気流との関係図
【図９】本発明の第一の実施形態に係る単なる水平誘導板及び気流進入側を広角にした誘導板と回転翼部の羽根部に対する気流との関係図
【図１０】１２枚の垂直誘導板を円形放射状に配設し、その中心に回転翼部を配置した時の気流の進入及び排気の関係を上部から視た図
【図１１】本発明の第二の実施形態に係る風力発電装置の回転翼部と双方向性気流垂直誘導板を設置した回転翼部に対する気流との関係を上部から視た図。
【図１２】本発明の第三の実施形態に係る風力発電装置の水平誘導板を示した斜視及び横から視た図。
【図１３】本発明、第三実施形態の放射状に配置した垂直誘導板で１２枚を放射状に配置した斜視図。
【図１４】本発明、第三実施形態の円形状水平誘導板の中心部を切り抜いたドーナッツ状の誘導板を用いた気流増速部を示した斜視図。
【図１５】本発明、第三実施形態の円形状水平誘導板で、ドーナッツ状の中心部分を回転軸受板でカバーした気流増速部を示した斜視図。
【図１６】本発明、第三実施形態で、回転軸受版に排気開閉板を制御出来る排気口を設けた気流増速部を示した斜視図。
【図１７】本発明、第三実施形態での、排気開閉板及び排気開閉板を取り付けた回転軸受版を示した上部からの図。
【図１８】本発明の気流増速部及び回転軸受板に取り付けた排気開閉板と回転翼の関係配置を示した上部からの図。
【符号の説明】
【００５６】１、風力発電装置
２、発電機
３、回転軸
４、５、６、７  回転翼部
４ａ〜ｆ、５ａ〜ｆ、６ａ〜ｆ、７ａ〜ｆ  羽根部
８、気流増速器
８Ｕ、気流増幅部
９、９ａ  軸受
２０ａ、２０ｂ、  水平誘導板
３０（ａ〜ｌ）  垂直誘導板
４０ａ、４０ｂ  双方向性垂直誘導壁
４１ａ〜ｆ      双方向性水平誘導板
５０、第三実施形態の回転軸受板
６０、第三実施形態の排気口を設けた回転軸受版
６１、第三実施形態の排気口開閉板
６２、第三実施形態のヒンジを用いた排気口開閉板
６３、第三実施形態の排気口開閉板のヒンジ
８０、気流増速器
８０Ｕ、気流増速部
２００（ａ、ｂ）、第三実施形態の水平誘導板
３００（ａ〜ｌ）、第三実施形態の垂直誘導板
８１Ｕ、第三実施形態の回転軸受板を設けた気流増速部
８２Ｕ、第三実施形態の回転軸受板に排気口を設けた気流増速部
【図１】
2011007169.tif 000003
【図２】
2011007169.tif 000004
【図３】
2011007169.tif 000005
【図４】
2011007169.tif 000006
【図５】
2011007169.tif 000007
【図６】
2011007169.tif 000008
【図７】
2011007169.tif 000009
【図８】
2011007169.tif 000010
【図９】
2011007169.tif 000011
【図１０】
2011007169.tif 000012
【図１１】
2011007169.tif 000013
【図１２】
2011007169.tif 000014
【図１３】
2011007169.tif 000015
【図１４】
2011007169.tif 000016
【図１５】
2011007169.tif 000017
【図１６】
2011007169.tif 000018
【図１７】
2011007169.tif 000019
【図１８】
2011007169.tif 000020